(57)【要約】【課題】  本発明の排水装置は、排水装置の逆流を防止すること、排水装置の高さ方向を低くすること、配管作業の簡易化等を解決することを課題とする。【解決手段】  水受け部と、複数の設備機器からの排水を取水するための開口部（１）を備え、且つ排水を下水側へと排出する排出口（２）を備えた排水器本体（３）と、前記水受け部と排水器本体（３）を取り付けるため、排水器本体（３）の開口部（１）に取り付けられるフランジ部（４）と、排水器本体（３）内部を分割する分岐壁（５）と、分岐壁（５）による排水器本体（３）内の分割によって構成される複数の排水流路（６）と、開口部（１）から流入する排水を排水流路（６）へ流入させる複数の流入口（７）と、排水流路（６）内の排水を排出口（２）へと流出する複数の流出口（８）と、から成り、更に該排水流路（６）の排水の流入口（７）を、前記開口部（１）内に配置して構成する。【選択図】  図１
2005240518.tif 000002
【特許請求の範囲】
【請求項１】
水受け部と、
複数の設備機器からの排水を取水するための開口部（１）を備え、且つ排水を下水側へと排出する排出口（２）を備えた排水器本体（３）と、
前記水受け部と排水器本体（３）を取り付けるため、排水器本体（３）の開口部（１）に取り付けられるフランジ部（４）と、
排水器本体（３）内部を分割する分岐壁（５）と、
分岐壁（５）による排水器本体（３）内の分割によって構成される複数の排水流路（６）と、
開口部（１）から流入する排水を排水流路（６）へ流入させる複数の流入口（７）と、
排水流路（６）内の排水を排出口（２）へと流出する複数の流出口（８）と、から成り、更に
該排水流路（６）の排水の流入口（７）を、前記開口部（１）内に配置したことを特徴する排水装置。
【請求項２】
前記設備機器からの排水を、排水管（９）を介して少なくとも一つの流入口（７）に水密的に接続し、且つ水受け部からの排水が少なくとも他の一つの流入口（７）に排水されることを特徴とする請求項１に記載の排水装置。
【請求項３】
前記排水管（９）と流入口（７）の接続を着脱自在としたことを特徴とする請求項２に記載の排水装置。
【請求項４】
前記排水流路（６）の流出口（８）を、排水器本体（３）内で合流させたことを特徴とする請求項１乃至請求項３のいずれか一つに記載の排水装置。
【請求項５】
前記排水流路（６）の少なくとも一つの流出口（８）を、他の排水装置に接続したことを特徴とする前記請求項１乃至請求項３のいずれか一つに記載の排水装置。
【請求項６】
前記開口部（１）を平面視円形とし、その中心に排水管（９）を接続する流入口（７）を備えたことを特徴とする請求項２乃至請求項５のいずれか一つに記載の排水装置。
【請求項７】
前記排水流路（６）の少なくとも一つに、封水を備えてトラップ機能を付与したことを特徴とする請求項１乃至請求項６のいずれか一つに記載の排水装置。
【請求項８】
請求項１乃至請求項７のいずれか一つに記載の排水装置を、
前記設備機器としての浴槽（Ｙ）と、
前記水受け部として浴槽（Ｙ）を載置する浴槽パン（Ｐ１）と、
洗い場を形成する洗い場パン（Ｐ２）と、
洗い場からの排水を下水側に排水する排水トラップ（１３）と、
から構成される浴室に用いることを特徴とする排水配管。
【発明の詳細な説明】
【技術分野】
【０００１】
本発明は、排水を生じる、例えば浴室の浴槽や台所の流し台などの設備機器の排水を下水へと排水する排水装置に関するものである。
【背景技術】
【０００２】
従来より、図７に示したような排水装置が知られている。
この従来の排水装置は、例えば設備機器としての浴槽の排水を行う排水装置であって、後記する浴槽と、浴槽パンと、洗い場パンと、排水トラップと、排水器本体と、フランジ部と、逆流防止装置とから構成される。
設備機器として、底部に開口を備えた浴槽を備える。
水受け部として、浴槽を載置するとともに、開口を備えた浴槽パンを備える。
洗い場パンは、浴槽パンの側方に配置されると共に、浴槽パンの天面よりも高所に配置され、底面に開口を備えた洗い場を形成して構成される。
排水トラップは、下水からの臭気や害虫の逆流を防止する内部に封水を備え、更に洗い場パンの開口に取り付けられ、洗い場の排水を下水へと排出する。
排水器本体は、浴槽の排水及び浴槽パンからの排水を取水するためのねじ部を備えた開口部を備え、且つ後記する排水トラップの封水へと排出する排出口を備えて構成される。
フランジ部は、中心に開口を備えたリング状であって、排水器本体の開口部のねじ部と螺合するねじ部と、外方に突出した鍔を構成する。そして、鍔を浴槽パンの開口に取り付け、浴槽パンを挟持して排水器本体の開口部と螺合させて排水器本体を浴槽パンの開口に取り付ける。
逆流防止装置は、前記フランジ部の開口に配置され、浴槽の排水を排水器本体へと排出する開口と、浴槽パンの排水を排水器本体へ排水する開口を備える。また、浴槽の開口から逆流防止装置の浴槽の排水を排水器本体へと排出する開口までは、排水管を介して水密的に接続される。また、逆流防止装置の浴槽パンの排水を排水器本体へ排水する開口には、比重が１よりも小さいフロートパッキンが配置される。
【０００３】
前記した従来の排水装置は、以下のように排水される。
浴槽からの排水は、浴槽の開口から排水管を介し、逆流防止装置の浴槽の排水を排水器本体へと排出する開口から、排水器本体内へ排水される。
浴槽パンからの排水は、逆流防止装置の浴槽パンの排水を排水器本体へ排水する開口から排水器本体内へと排出される。このとき、逆流防止装置のフロートパッキンは下降した状態になっているため、浴槽パンの排水は排水器本体内へ排水される。
排水器本体内の排水は、洗い場パンに配置される排水トラップの封水内に排水される。
洗い場パンからの排水は、洗い場パンの底面の排水トラップに排出される。
排水トラップ内の排水は、下水管へと排水される。
また、洗い場パンに多量の排水があった場合に、排水トラップを介して排水器本体側へ洗い場パンの排水が逆流することがあるが、このとき、逆流防止装置のフロートパッキンが排水の水位に併せて上昇し、裏面から浴槽パンの排水を排水器本体へ排水する開口に密着するので、排水の逆流が浴槽パンへと逆流することを防止することが出来る。
【０００４】
また、他の従来の排水装置として、図８及び図９に示したような排水装置が知られている。
この従来の排水装置は、例えば設備機器としての浴槽の排水を行う排水装置であって、後記する浴槽と、浴槽パンと、洗い場パンと、排水トラップと、第１排水器本体及び第２排水器本体と、フランジ部と、逆流防止装置とから構成される。
設備機器として、底部に開口を備えた浴槽を備える。
水受け部として、浴槽を載置するとともに、開口を２箇所備えた浴槽パンを備える。
洗い場パンは、浴槽パンの側方に配置されると共に、浴槽パンの天面よりも高所に配置され、底面に開口を備えた洗い場を形成して構成される。
排水トラップは、下水からの臭気や害虫の逆流を防止する内部に封水を備え、更に洗い場パンの開口に取り付けられ、洗い場の排水を下水へと排出する。
第１排水器本体は、図８に示したように、浴槽の排水を取水するためのねじ部を備えた開口部を備え、且つ排水器本体自身が上方へ屈曲して内部に下水からの臭気や害虫の逆流を防止する封水機能を備えると共に、下水へと排出する排出口を備えて構成される。
第２排水器本体は、図９に示したように浴槽パン上の排水を取水するためのねじ部を備えた開口部を備え、且つ排水器本体自身が上方へ屈曲して内部に下水からの臭気や害虫の逆流を防止する封水機能を備えると共に、下水へと排出する排出口を備えて構成される。
フランジ部は、中心に開口を備えたリング状であって、第１排水器本体及び第２排水器本体の開口部のねじ部と螺合するねじ部と、外方に突出した鍔を構成する。そして、鍔を浴槽パンの開口に取り付け、浴槽パンを挟持して排水器本体の開口部と螺合させて排水器本体を浴槽パンの開口に取り付ける。
【０００５】
前記した従来の排水装置は、以下のように排水される。
浴槽からの排水は、浴槽の開口から排水管を介し、浴槽パンの開口から第１排水器本体へと排水され、封水部を通過し下水管へと排出される。
浴槽パンからの排水は、浴槽パンの開口から第２排水器本体内へと排出され、封水部を通過し下水管へと排出される。
洗い場パンからの排水は、洗い場パンの底面の排水トラップに排出され、排水トラップ内の排水は、下水管へと排水される。
また、洗い場パンに多量の排水があった場合については、排水トラップから下水管へ直接排水されるので、排水トラップに接続されていない第１排水器本体及び第２排水器本体へは影響がなく、浴槽及び浴槽パンへの逆流はない。
【０００６】
【特許文献１】特開平３−２６０２３０号
【特許文献２】特開平１０−１７６３５６号
【発明の開示】
【発明が解決しようとする課題】
【０００７】
通常の排水装置には、以下のような課題がある。
１．排水が水受け部及び設備機器に逆流しないこと
通常の排水装置において、各種設備機器からの排水が多量であったり、排出口側からの排水が多量であった場合、排水器本体の排水が、水受け部及び設備機器へと逆流することがあったが、このような現象が発生すると、水受け部及び設備機器に排水の汚水がさらされ、その汚水の臭気が発生したり、排水中のゴミが水受け部に滞留してしまうと清潔性が失われる。よって、水受け部及び設備機器に排水器本体内の排水が逆流しない構造であること。
２．低床化
一般的な浴室において、老人や子どもが容易に浴槽にはいれるように、浴槽のまたぎ込み高さは低くしなければならない。また、マンションなどの多層階住宅においては、１階毎の高さを低くして、より多層の住宅を建築することが主流となっている。よって、浴室などの室内高さは従来のまま、また浴槽のまたぎ込み高さは低くして、床面下の、排水装置が配置される配管空間が上下に狭く構成された排水配管であること。
３．配管の手間を少なくすること
前記した２．低床化の為に、床下の配管空間が狭くなることと、排水配管が複雑化していくことから、施工現場での配管作業が大変難しくなり、最悪の場合、施工不良による水漏れなども発生することがあった。よって、排水配管及び排水装置の構造が簡易であること。
【０００８】
しかしながら、前記段落０００２及び０００３に記載の従来の排水装置は以下のような問題点があった。
前記した従来の排水装置は、前記１．の課題を解決するために逆流防止装置を排水器本体の開口に配置していたが、この逆流防止装置は排水の水位に併せて下降／上昇する、可動式のフロートパッキンを用いているので、排水中のゴミがフロートパッキンに付着したり、フロートパッキンの軸がずれたりして斜めに可動したりすることから、良好に止水面が形成されず、排水器本体内の逆流を防止することが出来ずに、フロートパッキンが誤作動して浴槽パン上に排水が逆流することがあった。
また、前記２．のように、低床化を行った浴室の場合、逆流防止装置に、排水の水位に併せて下降／上昇する、可動式のフロートパッキンを用いると、フロートパッキンが下降／上昇する分の高さ幅が最低必要となる。しかしながら、浴室の低床化がより進んでいく中で、フロートパッキンが昇降するための高さ幅が必要となる逆流防止装置はできるだけ使わず、その逆流防止装置の高さ幅分も省略したい、という問題点があった。
【０００９】
また、前記段落０００４及び０００５に記載の従来の排水装置は以下のような問題点があった。
前記１．及び２．の問題を解決するために浴槽パンに開口を２つ設けて、浴槽及び浴槽パンそれぞれに排水器本体を配管しているため、浴槽パンに２つ開口を設けなければ成らず、例えば現場施工などで手間が増え、さらには第１排水器本体、第２排水器本体の両者と下水管の配管上の位置あわせを行わなければならず、施工する際の手間が増える上、上記したように、配管空間のスペースが狭くなっている現場では非常に施工しにくいという問題点があった。
【００１０】
本発明の排水装置は、排水装置の逆流を防止すること、排水装置の高さ方向を低くすること、配管作業の簡易化等を解決するために発明されたものである。
【課題を解決するための手段】
【００１１】
請求項１に記載の本発明は、水受け部と、複数の設備機器からの排水を取水するための開口部（１）を備え、且つ排水を下水側へと排出する排出口（２）を備えた排水器本体（３）と、前記水受け部と排水器本体（３）を取り付けるため、排水器本体（３）の開口部（１）に取り付けられるフランジ部（４）と、排水器本体（３）内部を分割する分岐壁（５）と、分岐壁（５）による排水器本体（３）内の分割によって構成される複数の排水流路（６）と、開口部（１）から流入する排水を排水流路（６）へ流入させる複数の流入口（７）と、排水流路（６）内の排水を排出口（２）へと流出する複数の流出口（８）と、から成り、更に該排水流路（６）の排水の流入口（７）を、前記開口部（１）内に配置した排水装置である。
【００１２】
請求項２に記載の本発明は、前記設備機器からの排水を、排水管（９）を介して少なくとも一つの流入口（７）に水密的に接続し、且つ水受け部からの排水が少なくとも他の一つの流入口（７）に排水されることを特徴とする前記段落００１１に記載の排水装置である。
【００１３】
請求項３に記載の本発明は、前記排水管（９）と流入口（７）の接続を着脱自在としたことを特徴とする前記段落００１２に記載の排水装置である。
【００１４】
請求項４に記載の本発明は、前記排水流路（６）の流出口（８）を、排水器本体（３）内で合流させたことを特徴とする前記段落００１１乃至段落００１３のいずれか一つに記載の排水装置である。
【００１５】
請求項５に記載の本発明は、前記排水流路（６）の少なくとも一つの流出口（８）を、他の排水装置に接続したことを特徴とする前記段落００１１乃至段落００１３のいずれか一つに記載の排水装置である。
【００１６】
請求項６に記載の本発明は、前記開口部（１）を平面視円形とし、その中心に排水管（９）を接続する流入口（７）を備えたことを特徴とする前記段落００１２乃至段落００１５のいずれか一つに記載の排水装置である。
【００１７】
請求項７に記載の本発明は、前記排水流路（６）の少なくとも一つに、封水を備えてトラップ機能を付与したことを特徴とする前記段落００１１乃至段落００１６のいずれか一つに記載の排水装置である。
【００１８】
請求項８に記載の本発明は、前記段落００１１乃至段落００１７のいずれか一つに記載の排水装置を、前記設備機器としての浴槽（Ｙ）と、前記水受け部として浴槽（Ｙ）を載置する浴槽パン（Ｐ１）と、洗い場を形成する洗い場パン（Ｐ２）と、洗い場からの排水を下水側に排水する排水トラップ（１３）と、から構成される浴室に用いることを特徴とする排水配管である。
【発明の効果】
【００１９】
本発明の、請求項１乃至請求項８に係る発明は、次の１）乃至８）のような効果を有する。
１）本発明の請求項１に記載の排水装置は、開口部に複数の排水流路の流入口を配置させたので、それぞれの設備機器毎に排水流路が構成されて排水同士が排水器本体内で合流しないので、排水が逆流しない。また、水受け部に開口を複数設けることなく取り付けることができるので、施工作業の手間が減少することができる。
また、段落０００２及び０００３に記載した従来例での逆流防止装置を開口部に備えないので、フロートパッキンの誤作動による排水の逆流が防止できる。
また、段落０００２及び０００３に記載した従来例での逆流防止装置を開口部に備えないので、逆流防止装置のフロートパッキンが昇降する高さ幅が必要なくなったので、逆流防止装置の高さ分、床下の配管空間を狭くすることが出来る。
２）本発明の請求項２に記載の排水装置は、設備機器からの排水を、排水管を介して少なくとも一つの流入口に水密的に接続し、且つ水受け部からの排水を少なくとも他の一つの流入口に排水させるので、それぞれの設備機器毎に排水流路が構成されて排水同士が排水器本体内で合流しないので、排水が逆流することがない。また、離れたところにある設備機器の排水を処理することができる。
３）本発明の請求項３に記載の排水装置は、排水管と流入口の接続を着脱自在としたので、排水管や流入口にゴミつまりなどのメンテナンスが必要なときに、簡単に取り外すことができ、メンテナンス作業の簡易化が達成できる。
４）本発明の請求項４に記載の排水装置は、排水流路の流出口を、排水器本体内で合流させたので、配管、施工の手間を減じることができる。
５）本発明の請求項５に記載の排水装置は、排水流路の少なくとも一つの流出口を、他の排水装置に接続したので、それぞれの設備機器毎に排水流路が構成されて排水同士が排水器本体内で合流しないので、排水が逆流することがない。
６）本発明の請求項６に記載の排水装置は、開口部を平面視円形とし、その中心に排水管を接続する流入口を備えたので、他の流入口の位置あわせが容易である。
７）本発明の請求項７に記載の排水装置は、排水流路の少なくとも一つに、封水を備えてトラップ機能を付与したので、下水管へ排水器本体の排出口を直接接続しても、下水管側からの臭気や害虫が逆流することがない。
８）本発明の請求項８に記載の浴室の排水配管として、排水装置を、設備機器としての浴槽と、前記水受け部として浴槽を載置する浴槽パンと、洗い場を形成する洗い場パンと、洗い場からの排水を下水側に排水する排水トラップと、から構成される浴室に用いた排水配管としたので、洗い場パンに多量に排水を排水しても浴槽または浴槽パンへ排水が逆流することがない。
【発明を実施するための最良の形態】
【００２０】
以下に本発明の第１実施例を、図面を参照しつつ説明する。
図１乃至図３に示した排水装置は、例えば設備機器としての浴槽（Ｙ）の排水を行う排水装置であって、後記する浴槽（Ｙ）と、浴槽パン（Ｐ１）と、洗い場パン（Ｐ２）と、排水トラップ（１３）と、排水器本体（３）と、排水管（９）と、フランジ部（４）と、から構成される。
設備機器として、底部に開口を備えた浴槽（Ｙ）を備える。
水受け部として、浴槽（Ｙ）を載置するとともに、開口を備えた浴槽パン（Ｐ１）を備える。
洗い場パン（Ｐ２）は、浴槽パン（Ｐ１）の側方に配置されると共に、浴槽パン（Ｐ１）の天面よりも高所に配置され、底面に開口を備えた洗い場を形成して構成される。
排水トラップ（１３）は、内部に下水からの臭気や害虫の逆流を防止する、封水を備え、更に洗い場パン（Ｐ２）の開口に取り付けられ、洗い場の排水を下水へと排出する。
排水器本体（３）は箱体と箱体に水密的に対応する蓋体からなるケーシングであって、開口部（１）と、分岐壁（５）と、排水流路（６）と、流入口（７）と、流出口（８）と、封水と、排出口（２）と、から構成される。
開口部（１）は、平面視円形であって排水器本体（３）上部に設けた、浴槽（Ｙ）及び浴槽パン（Ｐ１）の排水を排水器本体（３）内部へ流入させる開口であり、後記するフランジ部（４）と螺合するねじを備える。
分岐壁（５）は、排水器本体（３）内を水密的に分割する壁であって、本実施例においては前記排水器本体（３）の蓋体から下方に垂設されて構成される。また、箱体には、分岐壁（５）と対応する適宜箇所に溝を配置し、蓋体が箱体に取り付けられた際に、分岐壁（５）が溝に合致して取り付けることができる。尚、分岐壁（５）は排水器本体（３）に対して水密的に取り付けられる。また、本実施例においては蓋体に分岐壁（５）を垂設しているが、箱体側に分岐壁（５）を垂設しても構わない。
排水流路（６）は、排水器本体（３）内を分岐壁（５）によって水密的に分割されて構成される。また、当該排水流路（６）は、本実施例においては、浴槽（Ｙ）からの排水が流入される排水流路（６）が浴槽排水流路（６ａ）、浴槽パン（Ｐ１）からの排水がが流入される排水流路（６）を浴槽パン排水流路（６ｂ）として構成される。
流入口（７）は、浴槽（Ｙ）及び浴槽パン（Ｐ１）からの排水を各排水流路（６）内へ流入させるための開口であって、浴槽（Ｙ）からの排水を浴槽排水流路（６ａ）内へ排水する流入口（７）は浴槽流入口（７ａ）、浴槽パン（Ｐ１）からの排水を浴槽パン排水流路（６ｂ）に排水する流入口（７）は浴槽パン流入口（７ｂ）とする。また、浴槽流入口（７ａ）には、後記する係合爪（１０）と係合する係止部（１１）を構成する。また、浴槽流入口（７ａ）と浴槽パン流入口（７ｂ）は、平面視開口部（１）内に配置されるように構成され、更に、浴槽流入口（７ａ）は、開口部（１）の中心部に位置し、且つ浴槽パン流入口（７ｂ）は、開口部（１）中浴槽流入口（７ａ）以外の部分に開口されて構成される。
流出口（８）は、浴槽排水流路（６ａ）及び浴槽パン排水流路（６ｂ）からの排水を後記する排出口（２）へ流出させるための開口であって、浴槽排水流路（６ａ）からの排水を排出口（２）へ排水する流出口（８）は浴槽流出口（８ａ）、浴槽パン排水流路（６ｂ）からの排水を排出口（２）に排水する流出口（８）は浴槽パン流出口（８ｂ）とする。
封水は、前記浴槽排水流路（６ａ）及び浴槽パン排水流路（６ｂ）の底面を上方へ屈曲させて構成された、その内部に下水からの臭気や害虫の逆流を防止する封水機能を備えて構成される。
排出口（２）は、前記排水器本体（３）内の排水を下水へと排水する開口であって、前記浴槽流出口（８ａ）及び浴槽パン流出口（８ｂ）を合流させる。また、排出口（２）は下水へと配管されているので、排水器本体（３）内部の排水は下水へと排水される。
排水管（９）は、浴槽（Ｙ）の開口から、浴槽流入口（７ａ）までを水密的に接続する管体であって、本実施例では、図３に示したように浴槽流入口（７ａ）との接続部をオーリング（１２）で水封し、かつ先端部に係合爪（１０）を構成して、前記浴槽流入口（７ａ）の係止部（１１）と係合させて、脱着自在且つ水密的に排水管（９）を浴槽流入口（７ａ）に接続する。
フランジ部（４）は、平面視中心に円形の開口を備えたリング状であって、排水器本体（３）の開口部（１）のねじと螺合するねじと、外方に突出した鍔を構成する。そして、鍔を浴槽パン（Ｐ１）の開口に取り付け、浴槽パン（Ｐ１）を挟持して排水器本体（３）の開口部（１）と螺合させて排水器本体（３）を浴槽パン（Ｐ１）の開口に取り付ける。
【００２１】
前記した排水装置と浴槽パン（Ｐ１）の取り付けは、以下のように取り付けられる。
浴槽パン（Ｐ１）の開口の下方側から排水器本体（３）の開口部（１）を位置あわせし、浴槽パン（Ｐ１）開口の上方からフランジ部（４）を挿通させ、フランジ部（４）のねじと排水器本体（３）の開口部（１）のねじを螺合させて、浴槽パン（Ｐ１）の開口周縁をフランジ部（４）と排水器本体（３）の開口部（１）で挟んで取り付ける。そうすることによって、浴槽パン（Ｐ１）に排水器本体（３）を取り付けることができる。また、フランジ部（４）と排水器本体（３）は１箇所のみの螺合により取り付けられるので、排水器本体（３）の排出口（２）と下水管の接続位置あわせを容易に行うことが出来る。
また、平面視開口部（１）に浴槽流入口（７ａ）と浴槽パン流入口（７ｂ）を配置しているので、浴槽パン（Ｐ１）に無駄な開口を設けることなく１箇所のみ開口するだけで排水装置の取り付けが完了できる。
また、開口部（１）の中心に浴槽流入口（７ａ）を配置しているので、浴槽パン流入口（７ｂ）の位置あわせが容易となる。
【００２２】
前記した浴室に取り付けられる排水装置は、以下のようにして排水の処理を行う。
浴槽（Ｙ）からの排水は、排水管（９）及び開口部（１）を介して、浴槽流入口（７ａ）へ直接排出される。また、排水管（９）にはオーリング（１２）を配置しているので、浴槽（Ｙ）の排水は外部に漏れ出すことなく水密的に浴槽流入口（７ａ）を介して浴槽排水流路（６ａ）へ排水される。また、浴槽排水流路（６ａ）内の排水は、封水を介して浴槽流出口（８ａ）へと排出され、排出口（２）で浴槽パン流出口（８ｂ）からの排水と合流して排水器本体（３）の排出口（２）から下水へと排水される。
浴槽パン（Ｐ１）からの排水は、開口部（１）を介して、浴槽パン流入口（７ｂ）へ直接排出される。また、本実施例においては浴槽流入口（７ａ）以外の開口が浴槽パン流入口（７ｂ）となっているため、浴槽パン流入口（７ｂ）を介して浴槽パン排水流路（６ｂ）へ排水される。また、浴槽パン排水流路（６ｂ）内の排水は、封水を介して浴槽パン流出口（８ｂ）へと排出され、排出口（２）で浴槽流出口（８ａ）からの排水と合流して排水器本体（３）の排出口（２）から下水へと排水される。
洗い場パン（Ｐ２）からの排水は、洗い場パン（Ｐ２）の開口に取り付けられた排水トラップ（１３）へ排水され、排水トラップ（１３）内の封水を介して下水へと排出される。
【００２３】
前記した排水装置は、洗い場パン（Ｐ２）から排水が多量に排水されても、排水トラップ（１３）と浴槽パン（Ｐ１）及び浴槽（Ｙ）の排水流路（６）が別途に設けられ合流していないことから、浴槽パン（Ｐ１）及び浴槽（Ｙ）へ洗い場パン（Ｐ２）の排水が逆流することがない。また、排水器本体（３）内を分岐壁（５）によって排水流路（６）毎に分割したので、浴槽（Ｙ）の排水及び浴槽パン（Ｐ１）の排水が直接合流されないので、互いの排水によって浴槽（Ｙ）又は浴槽パン（Ｐ１）に排水が逆流することがない。
【００２４】
以下に本発明の第２実施例を、図面を参照しつつ説明する。
図４に示した排水装置は、例えば設備機器としての浴槽（Ｙ）の排水を行う排水装置であって、以下に記載した排水器本体（３）と、前記段落００２０乃至００２３及び図１に記載した浴槽（Ｙ）と、浴槽パン（Ｐ１）と、洗い場パン（Ｐ２）と、排水トラップ（１３）と、排水管（９）と、フランジ部（４）と、同じ構成の各部材から構成される。
本実施例の排水器本体（３）は以下の構成を備える。
排水器本体（３）は箱体と箱体に水密的に対応する蓋体からなるケーシングであって、開口部（１）と、分岐壁（５）と、排水流路（６）と、流入口（７）と、流出口（８）と、封水と、排出口（２）と、から構成される。
開口部（１）は、平面視円形であって排水器本体（３）上部に設けた、浴槽（Ｙ）及び浴槽パン（Ｐ１）の排水を排水器本体（３）内部へ流入させる開口であり、後記するフランジ部（４）と螺合するねじを備える。
分岐壁（５）は、排水器本体（３）内を水密的に分割する壁であって、本実施例においては前記排水器本体（３）の箱体から下方に垂設されて構成される。また、箱体には、分岐壁（５）と対応する適宜箇所に溝を配置し、蓋体が箱体に取り付けられた際に、分岐壁（５）が溝に合致して取り付けることができる。尚、分岐壁（５）は排水器本体（３）に対して水密的に取り付けられる。また、本実施例においては蓋体に分岐壁（５）を垂設しているが、箱体側に分岐壁（５）を垂設しても構わない。
排水流路（６）は、排水器本体（３）内を分岐壁（５）によって水密的に分割されて構成される。また、当該排水流路（６）は、本実施例においては、浴槽（Ｙ）からの排水が流入される排水流路（６）が浴槽排水流路（６ａ）、浴槽パン（Ｐ１）からの排水が流入される排水流路（６）を浴槽パン排水流路（６ｂ）として構成される。
流入口（７）は、浴槽（Ｙ）及び浴槽パン（Ｐ１）からの排水を排水器本体（３）内へ流入させるための開口であって、浴槽（Ｙ）からの排水を浴槽排水流路（６ａ）内へ排水する流入口（７）は浴槽流入口（７ａ）、浴槽パン（Ｐ１）からの排水を浴槽パン排水流路（６ｂ）に排水する流入口（７）は浴槽パン流入口（７ｂ）とする。また、浴槽流入口（７ａ）には、後記する係合爪（１０）と係合する係止部（１１）を構成する。また、浴槽流入口（７ａ）と浴槽パン流入口（７ｂ）は、平面視開口部（１）内に配置されるように構成され、更に、浴槽流入口（７ａ）は、開口部（１）の中心部に位置し、且つ浴槽パン流入口（７ｂ）は、開口部（１）の浴槽流入口（７ａ）以外に開口されて構成される。
流出口（８）は、浴槽排水流路（６ａ）内の排水を洗い場パン（Ｐ２）の排水トラップ（１３）の封水へ排出させるための浴槽流出口（８ａ）と、浴槽パン排水流路（６ｂ）の排水を排水器本体（３）の排出口（２）側へ排出させる浴槽パン流出口（８ｂ）から構成される。
封水は、前記浴槽パン排水流路（６ｂ）の底面を上方へ屈曲させて構成された、その内部に下水からの臭気や害虫の逆流を防止する封水機能である。また、浴槽排水流路（６ａ）は底面を屈曲させて備えられる封水は備えない。
排出口（２）は、前記浴槽パン流路（６ｂ）内の排水を下水へと排水する開口であって、排出口（２）は下水へと配管されているので、浴槽パン排水流路（６ｂ）内部の排水は下水へと排水される。
【００２５】
前記した排水装置と浴槽パン（Ｐ１）の取り付けは、以下のように取り付けられる。
浴槽パン（Ｐ１）の開口の下方側から排水器本体（３）の開口部（１）を位置あわせし、浴槽パン（Ｐ１）開口の上方からフランジ部（４）を挿通させ、フランジ部（４）のねじと排水器本体（３）の開口部（１）のねじを螺合させて、浴槽パン（Ｐ１）の開口周縁をフランジ部（４）と排水器本体（３）の開口部（１）で挟んで取り付ける。そうすることによって、浴槽パン（Ｐ１）に排水器本体（３）を取り付けることができる。また、フランジ部（４）と排水器本体（３）は１箇所のみの螺合により取り付けられるので、排水器本体（３）の排出口（２）と下水管の接続位置あわせを容易に行うことが出来る。
また、平面視開口部（１）に浴槽流入口（７ａ）と浴槽パン流入口（７ｂ）を配置しているので、浴槽パン（Ｐ１）に無駄な開口を設けることなく１箇所のみ開口するだけで排水装置の取り付けが完了できる。
また、開口部（１）の中心に浴槽パン流入口（７ｂ）を配置しているので、浴槽流入口（７ａ）の位置あわせが容易となる。
【００２６】
前記した浴室に取り付けられる排水装置は、以下のようにして排水を処理する。
浴槽（Ｙ）からの排水は、開口部（１）及び排水管（９）を介して、浴槽流入口（７ａ）へ直接排出される。また、排水管（９）にはオーリング（１２）を配置しているので、浴槽（Ｙ）の排水は外部に漏れ出すことなく水密的に浴槽流入口（７ａ）を介して浴槽排水流路（６ａ）へ排水される。また、浴槽排水流路（６ａ）内の排水は、浴槽流出口（８ａ）から洗い場パン（Ｐ２）の排水トラップ（１３）の封水へと排出され、最終的には下水へと排出される。
浴槽パン（Ｐ１）からの排水は、開口部（１）を介して、浴槽パン流入口（７ｂ）へ直接排出される。また、本実施例においては浴槽流入口（７ａ）以外の開口部（１）に浴槽パン流入口（７ｂ）を構成しているため、浴槽パン流入口（７ｂ）を介して浴槽パン排水流路（６ｂ）へ排水される。また、浴槽パン排水流路（６ｂ）内の排水は、封水を介して浴槽パン流出口（８ｂ）へと排出され、排出口（２）から下水へと排水される。
洗い場パン（Ｐ２）からの排水は、洗い場パン（Ｐ２）の開口に取り付けられた排水トラップ（１３）へ排水され、浴槽排水流路（６ｂ）からの排水と合流して排水トラップ（１３）内の封水を介して下水へと排出される。
【００２７】
前記した排水装置は、洗い場パン（Ｐ２）から排水が多量に排水されても、排水トラップ（１３）と浴槽パン（Ｐ１）の排水流路（６）が別途に設けられて合流していないことから、浴槽パン（Ｐ１）へ洗い場パン（Ｐ２）の排水が逆流することがない。また、排水器本体（３）内を分岐壁（５）によって排水流路（６）毎に分割したので、浴槽（Ｙ）の排水及び浴槽パン（Ｐ１）の排水が直接合流されないので、互いの排水によって浴槽（Ｙ）又は浴槽パン（Ｐ１）に排水が逆流することがない。そして、平面視開口部（１）内に排水流路（６）の流入口（７）を設けているので、浴槽パン（Ｐ１）との取付が１箇所のみで取り付けられるので、施工の手間が減少する。
【００２８】
本発明の実施例は前記のようであるが、本発明は前記実施例に限定されるものではなく、発明の要旨を変更しない範囲で自由に変更することが可能である。例えば図５乃至図６に示したように、開口部（１）に対して、流入口（７）が断面視縦方向に配置されていても構わない。
【図面の簡単な説明】
【００２９】
【図１】第１実施例の排水装置を用いた浴室の、図２におけるＡ−Ａ’断面図である。
【図２】第１実施例の排水装置を用いた浴室の上面図（一部断面）である。
【図３】第１実施例の排水装置を用いた浴室の、図２におけるＢ−Ｂ’断面図である。
【図４】第２実施例の排水装置を用いた浴室の上面図（一部断面）である。
【図５】他の実施例を示す断面図である。
【図６】他の実施例を示す断面図である。
【図７】従来例を示す浴室の断面図である。
【図８】従来例を示す浴室の断面図である。
【図９】従来例を示す浴室の断面図である。
【符号の説明】
【００３０】
１    開口部                ９    排水管
２    排出口                １０  係合爪
３    排水器本体            １１  係止部
４    フランジ部            １２  オーリング
５    分岐壁                １３  排水トラップ
６    排水流路              Ｙ    浴槽
６ａ  浴槽排水流路          Ｐ１  浴槽パン
６ｂ  浴槽パン排水流路      Ｐ２  洗い場パン
７    流入口
７ａ  浴槽流入口
７ｂ  浴槽パン流入口
８    流出口
８ａ  浴槽流出口
８ｂ  浴槽パン流出口
【図１】
2005240518.tif 000003
【図２】
2005240518.tif 000004
【図３】
2005240518.tif 000005
【図４】
2005240518.tif 000006
【図５】
2005240518.tif 000007
【図６】
2005240518.tif 000008
【図７】
2005240518.tif 000009
【図８】
2005240518.tif 000010
【図９】
2005240518.tif 000011